(57)【要約】【課題】少なくとも１つの通気口を有する閉鎖エレメントを提供する。【解決手段】本発明によれば、少なくとも１つの通気口を有する閉鎖エレメントは、底面を有するピン形状の下側部分を備えた密封プラグであり、ここで、少なくとも１つの通気口は、密封プラグにおけるダクトによって形成され、ダクトへの入口開口から始まり、密封プラグの内側におけるピン形状の下側部分の底面から上側へ延在し、側面の出口開口を通り密封プラグの外部につながる。本発明はまた、そのような閉鎖エレメントを有する容器を備える。本発明はまた、本発明による閉鎖エレメントを有する容器の、完全な泡なしの充填用の方法に関する。本発明はまた、発明による閉鎖エレメントを設けた充填済容器の使用に関する。【選択図】図２Ａ
2019112142.tif 000002
【特許請求の範囲】
【請求項１】
少なくとも１つの通気口を有する閉鎖エレメントであって、該閉鎖エレメントは、底面を有するピン形状の下側部分を備えた密封プラグであり、少なくとも１つの通気口は、密封プラグにおけるダクトによって形成されており、ダクトへの入口開口で始まり、密封プラグの内部においてピン形状の下側部分の底面から上方へ延在し、側面の出口開口を通り密封プラグの外へつながる、ことを特徴とする閉鎖エレメント。
【請求項２】
側面の出口開口は、密封プラグの唯一の出口開口である、請求項１に記載の閉鎖エレメント。
【請求項３】
密封プラグにおけるダクトは、２つの直線部分を備え、そのうちの一方は、ピン形状の下側部分の中央を通って伸びており、他方は、密封プラグの側面の出口開口につながっている、請求項１又は２に記載の閉鎖エレメント。
【請求項４】
ダクトの２つの直線部分は、互いに直角で配列されている、請求項３に記載の閉鎖エレメント。
【請求項５】
密封プラグの側面の出口開口につながる直線部分は、ダクトの中心直線部分に鈍角で斜めに配向されている、請求項３に記載の閉鎖エレメント。
【請求項６】
ダクトは、側面の出口開口で拡張した出口断面を有する、請求項１から５のいずれかに記載の閉鎖エレメント。
【請求項７】
ピン形状の下側部分の底面における入口開口で、ダクトは傾斜を有する、請求項１から６のいずれかに記載の閉鎖エレメント。
【請求項８】
密封プラグのピン形状の下側部分は、丸形あるいは長方形である、請求項１から７のいずれかに記載の閉鎖エレメント。
【請求項９】
密封プラグは、ピン形状の下側部分における頂部で任意の移行領域を介して一体的に形成されたハンドル部を備え、ここで側面の出口開口は、好ましくはハンドル部の外へつながる、請求項１から８のいずれかに記載の閉鎖エレメント。
【請求項１０】
閉鎖エレメントは、プラスチックで形成され、プラスチックとしてＰＴＦＥが好ましい、請求項１から９のいずれかに記載の閉鎖エレメント。
【請求項１１】
内部空間を有する容器で、ベースと側壁によって区切られ、及び容器開口部を有する容器であって、容器開口部へ挿入され容器開口部に一致するピン形状の下側部分の形態を有する、請求項１に記載の閉鎖エレメントにおいて、密封プラグのダクトを通して容器の内部空間から外部への接続があることを特徴とする、容器。
【請求項１２】
容器開口部は、丸形あるいは長方形である、請求項１１に記載の容器。
【請求項１３】
ハンドル部を有する閉鎖エレメントが挿入され、ここで側面の出口開口は、ハンドル部の外につながり、ハンドル部は、側面の出口開口で、容器の側壁を越えて突出する、請求項１１又は１２に記載の容器。
【請求項１４】
容器はキュベットであり、ここでキュベットは、その断面図において好ましくは長方形である、請求項１１から１３のいずれかに記載の容器。
【請求項１５】
キュベットは、透明なプラスティック、ガラス、あるいは石英ガラスで作製されている、請求項１４に記載の容器。
【請求項１６】
閉鎖エレメントを有する容器の完全で泡のない充填用の方法であって、最初に、容器は、垂直位置において大部分が液体で満たされ、次に、請求項１に記載の閉鎖エレメントが挿入され、ここで空気残留物及び充填された液体の一部は、密封プラグのピン形状の下側部分を浸すことによって、ピン形状の下側部分の底面で始まるダクトへ入口開口を通って配置され上へ押し上げられ、最後に、密封プラグの側面の出口開口がダクトに位置する液体と共に上向きに面するように、容器は水平位置にされる、ことを特徴とする方法。
【請求項１７】
水平位置における測定用の、請求項１に記載の閉鎖エレメントを有する充填された容器の使用であって、ここで容器は、好ましくはキュベットである、使用。
【請求項１８】
測定は、マイクロプレートリーダーのアダプターにおいて、試料液体で満たされたキュベットの水平位置において行われる、請求項１７に記載の使用。
【請求項１９】
測定は、ＵＶ、ＶＩＳ、ＮＩＲ、ＩＲ、螢光、発光、及び吸光を含む波長及び検出方法のグループから選ばれた測光測定である、請求項１８に記載の使用。
【発明の詳細な説明】
【技術分野】
【０００１】
本発明は、少なくとも１つの通気口を有する閉鎖エレメントに関する。閉鎖エレメントは、ストッパーあるいは閉鎖キャップになり得る。これは、例えば、容器または管端を密閉するために使用することができる。
【背景技術】
【０００２】
容器を液体で満たすとき、閉鎖エレメントが取り付けられた後、空気残留物あるいは気泡が容器内に残らないような方法で液体を満たすことが望ましい、あるいは必要かもしれない。
【０００３】
ＤＥ ４４２８４３４Ａ１は、気泡なしで容器を満たし閉じるための閉鎖キャップを提案している。この閉鎖キャップは、容器の内側の方へ閉じられる浸漬移動体の形態によって、浸漬移動体と容器ネック部との間の環状の隙間を通して挿入の間、液体内容物の一部が容器の外で上方に配置されるように設計されており、その結果、容器ネック部の閉鎖位置において閉鎖キャップが外面の下部端でヘッドと係合する前に、気体及び幾らかの液体は、キャップ外面における１以上の開口を通して排出され、容器ネック部の上部端で密封体が内側を密封する。
【０００４】
ＤＥ １９９３９１９５Ａ１は、ボトル用の特別なキャップを記述している。これは、ネジキャップあるいはプラグイン形キャップであり得るが、特にプラスチックボトル用のネジキャップであり得る。取り付けられる前に底部で開いている閉鎖キャップの空洞に、通常、外気が存在する。酸素感受性飲料の場合、密封の間、充填された飲料ボトルに閉鎖キャップからの空気が入ることは避けるべきである。ＤＥ １９９３９１９５Ａ１においてこの問題は、移動エレメントとしても役立つ円盤形状の密封エレメントによって解決されている。この密封エレメントは、閉鎖キャップが取り付けられる前に閉鎖キャップの外壁の開口側面において、密封エレメントの弾性端領域と共に位置決めされる。このことは、キャップが取り付けられたときに、キャップの空洞からの空気がボトルの口に入るのを防ぐ。一方、閉鎖過程では、キャップとボトル口との間の相対運動は、可動ピストンと同様に、円盤形状の密封エレメントをキャップへ移動させる。これは、この場合、閉鎖キャップの空洞から少なくとも１つの放出経路を通して外側へ空気を移動させる。この放出経路は、キャップの底あるいは外壁における穴であってもよく、又はネジキャップの隆起したネジの中断によって形成されてもよい。閉鎖過程の完了後、閉鎖エレメントは、通常の密封機能を果たす。
【０００５】
ＤＥ １９８３３４３５Ａ１によれば、取り出された体液用のＵＶ照射装置における体液用の容器としての、両側にストッパーを有する石英キュベットを汚染なしで装填することは、扱うのが困難である。ＤＥ １９８３３４３５Ａ１は、容器の一方側をしっかりと閉じて、容器の装填及び装填解除側に、特に設計されたアダプター・プラグを使用することを提案し、ここで容器は、一方では、水平位置のアダプター・プラグにおける穴を通してのシリンジによる装填あるいは装填解除を可能にし、他方では、圧力平衡、つまりアダプター・プラグにおける付加的な通気穴を通して気体チャンバーの通気、を可能にする。ここで使用される容器管は、体液が部分的にのみ装填され、よって、液体の上方に常に気体空間が存在する。さらにここでは、泡のない充満は、役割を果たさない。
【先行技術文献】
【特許文献】
【０００６】
【特許文献１】ＤＥ ４４２８４３４Ａ１
【特許文献２】ＤＥ １９９３９１９５Ａ１
【特許文献３】ＤＥ １９８３３４３５Ａ１
【発明の概要】
【０００７】
本発明は、少なくとも１つの通気口を有する別の閉鎖エレメントを提供することを目的とする。
【０００８】
この目的は、請求項１の特徴を有する閉鎖エレメントによって解決される。
【０００９】
本発明はまた、そのような閉鎖エレメントを有する容器を含む。
【００１０】
本発明はまた、発明による閉鎖エレメントを有する容器における完全で泡のない充填のための方法に関する。
【００１１】
さらに、発明による閉鎖エレメントが取り付けられた、充填された容器の使用もまた、本発明の一部である。
【００１２】
発明による、好ましい実施形態及び変形は、それぞれの従属請求項に起因する。
【００１３】
本発明によれば、少なくとも１つの通気口を有する閉鎖エレメントは、底面を有するピン形状の下側部分を備えた密封プラグであり、ここで少なくとも１つの通気口は、密封プラグにおけるダクトによって形成され、ダクトへの入口開口で始まり、密封プラグの内側においてピン形状の下側部分の底面から上方へ延在し、側面の出口開口を通り密封プラグの外部につながる。ダクトによって形成された通気口の同義語は、通気ダクトである。
【００１４】
通気ダクトの形状及びコースは、任意とすることができる。例えば、それはまた、下側部分において偏心して延在することもできる。あるいはまた、それは曲がってもよく、又は最も単純な場合では、それは、底面から外に側面への傾斜穴であることができる。さらにそれは、直線部分と円弧部分との組み合わせであることができる。側面の出口開口は、底面から任意距離で密封プラグの外へ横方向につながることができる。
【００１５】
側面の出口開口は、発明による閉鎖エレメントの実施形態における密封プラグの唯一の出口開口である。この実施形態では、密封プラグは、１つのみの側面出口開口を有し、他の開いた出口開口、又は例えばネジあるいは密封体で閉じることができる出口開口は有しない。
【００１６】
発明による閉鎖エレメントの１つの実施形態では、密封プラグにおけるダクトは、２つの直線部分を備え、そのうちの一方はピン形状の下側部分を通り中心を走り、他方は密封プラグの側面の出口開口へつながる。
【００１７】
好ましい実施形態では、ダクトの２つの直線部分は、互いに直角に配列されている。
【００１８】
別の好ましい実施形態では、プラグの側面の出口開口に通じる直線部分は、ダクトの中心の直線部分に鈍角で傾斜して配列される。
【００１９】
好ましくは、ダクトは、側面の出口開口で拡張した出口断面を有する。そのような拡張した出口断面は、取り付け中に、及び容器開口部への閉鎖エレメントの挿入後に移動する液体用の拡張スペースとして役立つことができる。
【００２０】
ピン形状の下側部分の底面において、ダクトは、好ましくは、入口開口で傾斜を有する。この傾斜は、好ましくは、漏斗に類似するような円錐形状である。入口開口のこの設計により、空気残留物あるいは気泡は、より容易に通気ダクトへ入ることができる。
【００２１】
発明による閉鎖エレメントの場合には、密封プラグのピン形状の下側部分は、好ましい実施形態において、丸形あるいは長方形であることができる。丸形は、特に好ましくは円形を意味し、長方形はまた、正方形も含む。
【００２２】
発明による閉鎖エレメントの１つの実施形態では、密封プラグは、ピン形状の下側部分における頂部に任意の移行領域を介して一体的に形成されたハンドル部を備える。そのような実施形態では、側面の出口開口は、好ましくは、ハンドル部の外側につながる。任意の移行領域は、例えば、くびれ（constriction）断面あるいは円筒断面であることができる。また移行領域において、側面の出口開口は基本的には、あるいは移行領域の近くのピン形状の下側部分の上側領域において、外につながることができるであろう。しかしながら、ハンドル部はまた、移行領域無しでピン形状の下側部分へ直接に成型することができる。最も単純な場合では、直接に形成されたハンドル部の形状は、ピン形状の下側部分の拡張である。後者の場合、プラグは全体として、発明に従い、通気ダクトを有するピンの形状を有するだろう。
【００２３】
発明による閉鎖エレメント、例えば、発明に従い通気ダクトを有するコルクで作製された密封プラグ、に関して様々な材料が使用可能である。しかしながら、発明による閉鎖エレメントは、好ましくはプラスチックで作製され、ここで閉鎖エレメント用のプラスチックとして、ＰＴＦＥ（ポリテトラフルオロエチレン）が特に好ましい。
【００２４】
発明による密封プラグにおいて通気ダクトを形成するために、穴は、以後の機械加工によって開けられてもよい。他の可能な方法は、例えば３Ｄ印刷あるいはレーザー焼結による作製である。
【００２５】
発明はまた、内部空間を有する容器を含み、該容器は、ベース及び側壁によって区切られ、及び容器開口部を備え、ここで、閉鎖エレメント（請求項１による）が、容器開口部に挿入され、及び容器開口部に一致するピン形状の下側部分の形状を有する場合には、容器の内部空間から、密封プラグにおけるダクトを通って外部への接続が存在する。
【００２６】
容器の側壁は、辺り一帯に広がる周囲全体の側壁である。ベースのレイアウトに依存して、側壁の外周は、例えば丸形であることができ、又は長方形の底の場合には、側壁は対応する４つの部分的な壁からなることができる。
【００２７】
容器開口部は、好ましい実施形態において丸形あるいは長方形である。丸形とは、特に好ましくは円形を意味し、一方、長方形は正方形をも含む。容器開口部と、密封プラグのピン形状の下側部分との一致する形状は、例えば円錐形で標準のグラウンドジョイント（ground joint）である。
【００２８】
好ましい実施形態では、ハンドル部を有する閉鎖エレメントは、容器へ挿入され、ここで、側面の出口開口はハンドル部の外側につながり、ハンドル部は、側面の出口開口で、容器の側壁を越えて突出する。そのような実施形態により、側面の出口開口の端は、ハンドル部における側面出口開口を上向きにした水平配置後に、容器の側壁よりも高く位置する。これは、通気ダクトへ配置された液体が直接にオーバーフローすることなく、容器の水平位置における内部から充填中に気泡を放出するのに、及び配置された液体を集めるのに有利である。通気ダクトにおいてはみ出した（protruding）液面のため、充填され水平に位置する容器の内部は、泡のない液柱による僅かな超過圧力によって液体で確実に満たされたままである。
【００２９】
容器は、好ましくはキュベットである。本発明の内容において、キュベットは、好ましくは長方形の断面であり、ここで長方形は、正方形をも含んでいる。
【００３０】
キュベットは、好ましくは、透明なプラスチック、ガラス、あるいは石英ガラスで作製される。１０ｍｍの層厚さ（層深度とも呼ばれる）を有する長方形の標準キュベットは、透明な光学側面を通過する測定ビームの方向においてキュベットに含まれた液体のために特に好まれる。
【００３１】
本発明はまた、閉鎖エレメントを有する容器の、完全で泡がない充填用の方法に関し、ここで、最初に、容器は、垂直位置において大部分が液体で満たされ、次に、請求項１による特徴を有する閉鎖エレメントが挿入される。ここで、空気残留物及び充填された液体の一部は、密封プラグのピン形状の下側部分を浸すことによって、ピン形状の下側部分の底面で始まるダクトへ入口開口を通って配置され上へ押し上げられる。そして最後に、密封プラグの側面の出口開口がダクトに位置する液体と共に上に向くように容器は水平位置になされる。
【００３２】
発明はまた、水平位置における測定のため、発明による閉鎖エレメントを有する充填された容器の使用を含み、ここで容器は、好ましくはキュベットである。容器は、上の段落で述べた方法に従って好ましくは充填されてもよい。
【００３３】
試料液体で満たされたキュベットにおける水平位置での測定は、マイクロプレートリーダーにおけるアダプターにおいて好ましくは行なわれる。マイクロプレートリーダー（マイクロプレート読取装置とも呼ばれる）は、生化学のあるいは細胞生物学的な分析のためにしばしば使用され（サンプル検査）、マイクロプレート（マイクロタイタプレートとも呼ばれる）の凹部（ウエル）における主に生物学的試料液体の測光測定用の分光計を備える。泡なし充填されたキュベットが標準マイクロプレートのレイアウト寸法を有するアダプターに水平に置かれた場合、本発明は、マイクロプレートリーダーにおけるキュベットと共に測定が行なわれることを可能にする。
【００３４】
その測定は、好ましくは、ＵＶ、ＶＩＳ、ＮＩＲ、ＩＲ、螢光、発光、及び吸光を含む波長及び検出方法のグループから選ばれた測光測定である。
【００３５】
通常の分光測光計では、キュベットがキュベット保持具あるいはサンプルシャフトへ垂直に挿入されるので、キュベットにおける完全で泡なしの充填の問題は生じない。全測定ビームが液体を通過するように、キュベットの最小充填高さのみが守られねばならない。一方、測光測定（上述したマイクロプレートリーダーにおけるような）のために、キュベットが水平に位置しなければならない場合には、従来のストッパーでほとんど回避することができない気泡が、アルコール水準器と同様に、キュベットの上部からキュベットの中央へ移動し、測定を変造する。本発明のおかげで、発明による閉鎖エレメントにより、この問題は、うまくかつ驚くほどに解決することができるだろう。
【００３６】
別の問題もまた、発明による閉鎖エレメントにより解決される。強力な光照射によるより長い測定間に試料液体が加熱される場合には、試料液体は膨張し、これは超過圧力及び従来のストッパーの排出につながることがある。しかしながら、発明による閉鎖エレメントが使用された場合には、液体は、キュベットにおける圧力を増加させずに、密封プラグのダクトを通して膨張することができる。
【００３７】
以下では、本発明の権利範囲を限定しない典型的な実施形態を表わす概要の図によって、より詳細に説明されている。
【図面の簡単な説明】
【００３８】
【図１Ａ】容器に挿入される発明による閉鎖エレメントを示し、通気ダクトの面における、閉鎖エレメントが挿入された容器を通る長手方向の断面図を示す。
【図１Ｂ】容器に挿入される発明による閉鎖エレメントを示し、密封プラグのハンドル部における側面の出口開口の正面図と共に、閉鎖エレメントが挿入された容器の側面図を示す。
【図１Ｃ】容器に挿入される発明による閉鎖エレメントを示し、閉鎖エレメントが挿入された容器の上面図を示す。
【図２Ａ】容器に挿入される発明による閉鎖エレメントを示し、通気ダクトの面における閉鎖エレメントを通る長手方向の断面図を示す。
【図２Ｂ】容器に挿入される発明による閉鎖エレメントを示し、密封プラグのハンドル部における側面の出口開口の正面図と共に、閉鎖エレメントの側面図を示す。
【図２Ｃ】容器に挿入される発明による閉鎖エレメントを示し、閉鎖エレメントが挿入された容器の上面図を示す。
【図２Ｄ】容器に挿入される発明による閉鎖エレメントを示し、ハンドル部における出口開口の反対側の側面からの閉鎖エレメントの側面図を示す。
【図２Ｅ】容器に挿入される発明による閉鎖エレメントを示し、閉鎖エレメントの底面図を示す。
【図３】通気ダクトの面において、発明による閉鎖エレメントの別の実施形態を通る長手方向の断面図を示す。
【図４】通気ダクトの面において、発明による閉鎖エレメントのさらに別の実施形態を通る長手方向の断面図を示す。
【発明を実施するための形態】
【００３９】
個々の図における記述が必ずしもそれらを明確に参照するとは限らなくても、図における同じ参照符号は、対応する特徴を示す。
【００４０】
図１は、容器２に挿入された、発明による閉鎖エレメント１を概略的に示しており、ここで容器はそのベース１５上に垂直に立って示されている。ここに示された閉鎖エレメント１は、ハンドル部５を備える。示された場合では、容器２は、長方形のキュベットを表わす。閉鎖エレメント１におけるピン形状の下側部分３の形状は、容器開口部４と一致し、示された例では円錐形である。一部の図１Ａ及び図１Ｃでは、閉鎖エレメントは、側面の出口開口６を有するハンドル部５が容器２の側壁７を越えて突出する有利な実施形態として示されることができる。ハンドル部５における他の３側面は、これを越えて突出せず、その結果、特に、閉鎖エレメント１が挿入されたときにハンドル部５における出口開口６に対向する、側壁７の一部の壁において、容器２を水平に置くことができる。一部の図１Ａ及び図１Ｂでは、通気ダクト８が側面の出口開口６へつながるところで、拡張された出口断面を有する領域が描かれている。後者は、容器２の水平位置において配置された液体用の拡張スペースとして役立つ。発明による閉鎖エレメント１のさらなる詳細は、図２を使用して説明される。
【００４１】
図２は、ＡからＥのそれぞれの図において、発明による図１からの閉鎖エレメント１を再度、異なる見方にて別々に示している。図２Ａ、図２Ｂ及び図２Ｃは、図１における類似の各図に対応する。さらに図２Ｄ及び図２Ｅは、形状全体を示すように、他の見る方向からの閉鎖エレメント１の図を示している。図２Ａは、発明による閉鎖エレメント１の実施形態を示し、ここで、密封プラグ１におけるダクト８は、２つの直線部分を備え、そのうちの、底面１１における入口開口１０で始まる一方のセクション９は、ピン形状の下側部分３の中心を通って伸び、ハンドル部５における側面出口開口６につながる他方のセクション１２は、一方のセクションに直角で配列される。それが側面出口開口６に流れ込むところのポイントでは、ダクト８は、拡張された出口断面（図１において既に述べたように）を有する領域を持つ。ここに示された密封プラグ１は、ピン形状の下側部分３と頂部に一体的に形成されたハンドル部５との間に、ここではくびれ（constriction）の形態の移行領域１３を有する。
【００４２】
図２Ａに相当する図における図３は、閉鎖エレメント１の別の有利な実施形態を示しており、ここでは、ハンドル部５における側面の出口開口６につながるダクト８の直線部分１２は、ダクト８の直線の中央のセクション９に鈍角で傾斜して配列される。このような斜めの穴は、ダクト８の交わる２つの直線部分の角で小さな気泡が詰まるのを防止することができる。ここで、また、示されるように、ダクト８が、側面の出口開口６へ開くところで、拡張された出口断面を有する領域を持っている場合も好ましい。図３に示される密封プラグ１はまた、円錐形の下側部分３と、頂部に一体的に形成されたハンドル部５との間にくびれの形における移行領域１３を有する。
【００４３】
図４は、閉鎖エレメント１の異なる実施形態を示し、個々の特徴のさらに可能な実施形態を説明している。密封プラグ１のこの実施形態では、ピン形状の下側部分３と、頂部に一体的に形成されたハンドル部５との間に円筒状ネック部の形態において移行領域１３が存在する。側面の出口開口６は、このネック部の外側につながる。ここに示された通気ダクト８は、ピン形状の下側部分３を通る中心直線部分９、及び側面の出口開口６の方への曲がった形状部分を有する。図４では、円錐形の下側部分３の底面１１において更なる詳細を見ることができる。即ち、ここで、ダクト８は、入口開口１０で傾斜１４を有する。示された傾斜は、漏斗のような円錐形を有する。空気残留物あるいは気泡は、このように設計された入口開口へ入り上方へより容易に逃げることができる。
【００４４】
入口開口の面取りは、発明による閉鎖エレメントのすべての実施形態に適用することができ、図４に示される実施形態に限定されない。
【００４５】
この点では、記述された及び／又は図に示された特徴の任意の組み合わせは、その組み合わせが矛盾のない限り、本発明の権利範囲の一部であることは留意されるべきである。
【００４６】
記述及び図の説明から理解できるように、この発明は、いくつかの利点を有する多目的な解決策を提供する。
【符号の説明】
【００４７】
１  閉鎖エレメント、密封プラグ
２  容器
３  閉鎖エレメントのピン形状の下側部分
４  容器開口部
５  密封プラグのハンドル部
６  密封プラグからの側面の出口開口
７  容器の側壁
８  ダクト、通気ダクト
９  ダクトの中心直線部分
１０  ダクトへの入口開口
１１  ピン形状の下側部分の底面
１２  密封プラグの側面の出口開口につながるダクトの直線部分
１３  密封プラグの移行領域
１４  入口開口の傾斜
１５  容器のベース
【図１Ａ】
2019112142.tif 000003
【図１Ｂ】
2019112142.tif 000004
【図１Ｃ】
2019112142.tif 000005
【図２Ａ】
2019112142.tif 000006
【図２Ｂ】
2019112142.tif 000007
【図２Ｃ】
2019112142.tif 000008
【図２Ｄ】
2019112142.tif 000009
【図２Ｅ】
2019112142.tif 000010
【図３】
2019112142.tif 000011
【図４】
2019112142.tif 000012
【外国語明細書】
2019112142.tif 000013
2019112142.tif 000014
2019112142.tif 000015
2019112142.tif 000016
2019112142.tif 000017
2019112142.tif 000018
2019112142.tif 000019
2019112142.tif 000020
2019112142.tif 000021
2019112142.tif 000022
2019112142.tif 000023
2019112142.tif 000024
2019112142.tif 000025
2019112142.tif 000026
2019112142.tif 000027
2019112142.tif 000028
2019112142.tif 000029
2019112142.tif 000030
2019112142.tif 000031
2019112142.tif 000032